(57)【要約】【課題】遊技者が着座する椅子に遊技機の遊技状態を表示する機能を持たせることができるとともに、当該遊技機の遊技状態をより簡易に且つ視認性を高めつつ表示させることができる表示器を提供する。【解決手段】パチンコ遊技機Ｐと対向した位置に設置されて遊技者が着座可能な椅子２の背面に取付可能な表示器１であって、椅子１の背もたれ５の背面から当該椅子２の後方に向かって突出しつつ延設された表示面を有するとともに、当該表示面にパチンコ遊技機Ｐの遊技状態を示す表示が可能とされたものである。【選択図】図２
2013248242.tif 000002
【特許請求の範囲】
【請求項１】
遊技機と対向した位置に設置されて遊技者が着座可能な椅子の背面に取付可能な表示器であって、
前記椅子の背面から当該椅子の後方に向かって突出しつつ延設された表示面を有するとともに、当該表示面に遊技機の遊技状態を示す表示が可能とされたことを特徴とする表示器。
【請求項２】
前記表示面は、前記椅子の背もたれの背面に取付可能とされたことを特徴とする請求項１記載の表示器。
【請求項３】
前記表示面は、前記遊技機の遊技により獲得した遊技価値に関する情報が表示されることを特徴とする請求項１又は請求項２記載の表示器。
【請求項４】
前記表示面は、少なくとも収容箱を模した絵柄が記載されるとともに、獲得した遊技価値に応じた収容箱の数を把握可能な表示がなされることを特徴とする請求項３記載の表示器。
【請求項５】
前記表示面は、複数の頁部材の面から成り、遊技状態に応じて当該頁部材をめくることにより当該遊技状態に応じた異なる表示を行わせ得ることを特徴とする請求項１〜４の何れか１つに記載の表示器。
【請求項６】
前記表示面は、前記椅子の左右それぞれの方向に臨んだ表示面を有し、それぞれの表示面にて表示を行わせることを特徴とする請求項１〜５の何れか１つに記載の表示器。
【請求項７】
前記表示面は、椅子の前方側に向かって撓み得るベース部に形成されたことを特徴とする請求項１〜６の何れか１つに記載の表示器。
【発明の詳細な説明】
【技術分野】
【０００１】
本発明は、遊技機と対向した位置に設置されて遊技者が着座可能な椅子の背面に取付可能な表示器に関するものである。
【背景技術】
【０００２】
パチンコ遊技機やスロットマシン等の遊技機が設置された遊技場において、遊技者が着座して遊技可能とすべく、遊技機と対向した位置に椅子が設置されている。かかる椅子には、通常、遊技場の床に固設された脚部と、脚部の上部に設置された着座シートと、該着座シートの背面側に立設された背もたれとを有しており、例えば遊技機が複数並設された遊技島の近傍において、遊技機と対応した位置に複数設置されている。
【０００３】
このような遊技機と対向した位置に設置された椅子において、従来、その背もたれや脚部に電光表示器を設け、遊技している遊技機の遊技状況（パチンコ遊技球の出玉状況）に応じて当該電光表示器を点灯させるもの（例えば、特許文献１及び特許文献２参照）が提案されるに至っている。これら従来技術によれば、電光表示器を点灯して遊技状況を表示させるので、周囲の遊技者に対するアピール度を向上させることができる。また、従来の他の形態の椅子として、背もたれに表示シートや所定の絵柄が表示されたシートを取り付けるもの（例えば、特許文献３及び特許文献４参照）が提案されている。
【先行技術文献】
【特許文献】
【０００４】
【特許文献１】特開２０００−１５７７１０号公報
【特許文献２】特開２０００−２０２１５２号公報
【特許文献３】実用新案登録３０９９２１８号公報
【特許文献４】実用新案登録３１０４２２３号公報
【発明の概要】
【発明が解決しようとする課題】
【０００５】
しかしながら、上記従来技術のうち特許文献１及び特許文献２で開示されたものにおいては、遊技者が着座する椅子の背もたれに電光表示器を設ける必要があるため、その電光表示器の発熱で遊技者に不快感を与えてしまうとともに、椅子に対する着座が多数繰り返し行われることから、その着座時の振動や衝撃等により、電光表示器が頻繁に故障してしまう虞があった。
【０００６】
また、特許文献３及び特許文献４で開示された従来技術においては、椅子の背もたれにシートを設定して、そのシートに公告内容に関するもの或いは美観を高める絵柄等を表示させ得るものの、その椅子に着座した遊技者の遊技状態を表示するものではない。また、遊技場の通路側から背もたれに設置したシートを表示するのは困難であり、視認効果も乏しいものであった。
【０００７】
本発明は、このような事情に鑑みてなされたもので、遊技者が着座する椅子に遊技機の遊技状態を表示する機能を持たせることができるとともに、当該遊技機の遊技状態をより簡易に且つ視認性を高めつつ表示させることができる表示器を提供することにある。
【課題を解決するための手段】
【０００８】
請求項１記載の発明は、遊技機と対向した位置に設置されて遊技者が着座可能な椅子の背面に取付可能な表示器であって、前記椅子の背面から当該椅子の後方に向かって突出しつつ延設された表示面を有するとともに、当該表示面に遊技機の遊技状態を示す表示が可能とされたことを特徴とする。
【０００９】
請求項２記載の発明は、請求項１記載の表示器において、前記表示面は、前記椅子の背もたれの背面に取付可能とされたことを特徴とする。
【００１０】
請求項３記載の発明は、請求項１又は請求項２記載の表示器において、前記表示面は、前記遊技機の遊技により獲得した遊技価値に関する情報が表示されることを特徴とする。
【００１１】
請求項４記載の発明は、請求項３記載の表示器において、前記表示面は、少なくとも収容箱を模した絵柄が記載されるとともに、獲得した遊技価値に応じた収容箱の数を把握可能な表示がなされることを特徴とする。
【００１２】
請求項５記載の発明は、請求項１〜４の何れか１つに記載の表示器において、前記表示面は、複数の頁部材の面から成り、遊技状態に応じて当該頁部材をめくることにより当該遊技状態に応じた異なる表示を行わせ得ることを特徴とする。
【００１３】
請求項６記載の発明は、請求項１〜５の何れか１つに記載の表示器において、前記表示面は、前記椅子の左右それぞれの方向に臨んだ表示面を有し、それぞれの表示面にて表示を行わせることを特徴とする。
【００１４】
請求項７記載の発明は、請求項１〜６の何れか１つに記載の表示器において、前記表示面は、椅子の前方側に向かって撓み得るベース部に形成されたことを特徴とする。
【発明の効果】
【００１５】
請求項１の発明によれば、椅子の背面から当該椅子の後方に向かって突出しつつ延設された表示面を有するとともに、当該表示面に遊技機の遊技状態を示す表示が可能とされたので、遊技者が着座する椅子に遊技機の遊技状態を表示する機能を持たせることができるとともに、当該遊技機の遊技状態をより簡易に且つ視認性を高めつつ表示させることができる。
【００１６】
請求項２の発明によれば、表示面は、椅子の背もたれの背面に取付可能とされたので、当該背もたれの大きさに応じた表示面を設定することができ、より視認性を高めることができる。
【００１７】
請求項３の発明によれば、表示面は、遊技機の遊技により獲得した遊技価値に関する情報が表示されるので、例えば遊技により獲得した遊技媒体が排出されない遊技機に対向した椅子に適用すれば、獲得した遊技媒体を収容する収容箱を床面に載置してアピール度を得るものと同等のアピール度を得ることができる。
【００１８】
請求項４の発明によれば、表示面は、少なくとも収容箱を模した絵柄が記載されるとともに、獲得した遊技価値に応じた収容箱の数を把握可能な表示がなされるので、周囲の遊技者が当該表示を視認することで、遊技状態を感覚的に把握することができる。
【００１９】
請求項５の発明によれば、表示面は、複数の頁部材の面から成り、遊技状態に応じて当該頁部材をめくることにより当該遊技状態に応じた異なる表示を行わせ得るので、より簡易かつリアルタイムに遊技状態の表示を行わせることができる。
【００２０】
請求項６の発明によれば、表示面は、椅子の左右それぞれの方向に臨んだ表示面を有し、それぞれの表示面にて表示を行わせるので、遊技している遊技機の左右両方向から表示の視認を行わせることができ、視認性をより一層向上させることができる。
【００２１】
請求項７の発明によれば、表示面は、椅子の前方側に向かって撓み得るベース部に形成されたので、椅子の後方を通過するホール係や他の遊技者が表示面に干渉しても、ベース部が撓むことで表示面が破損してしまうのを防止することができる。
【図面の簡単な説明】
【００２２】
【図１】本発明の実施形態に係る表示器が適用される椅子及び当該椅子の前方の遊技機を示す模式図
【図２】同表示器が取り付けられた椅子を示す模式図
【図３】同表示器が取り付けられる椅子及びカバーを示す模式図
【図４】同表示器を示す模式図
【図５】同表示器における表示面の表示形態の一つを示す模式図
【図６】同表示器における表示面の表示形態の一つを示す模式図
【図７】同表示器における表示面の表示形態の一つを示す模式図
【図８】同表示器における表示面の表示形態の一つを示す模式図
【図９】同表示器における表示面の表示形態の一つを示す模式図
【図１０】同表示器における表示面の表示形態の一つを示す模式図
【図１１】本発明の他の実施形態に係る表示器が取り付けられた椅子を示す模式図
【図１２】同表示器を示す模式図
【図１３】同表示器における表示面の表示形態の一つを示す模式図
【図１４】同表示器における表示面の表示形態の一つを示す模式図
【図１５】同表示器における表示面の表示形態の一つを示す模式図
【図１６】同表示器における表示面の表示形態の一つを示す模式図
【図１７】同表示器における表示面の表示形態の一つを示す模式図
【図１８】同表示器における表示面の表示形態の一つを示す模式図
【発明を実施するための形態】
【００２３】
以下、本発明の実施形態について図面を参照しながら具体的に説明する。
本実施形態に係る表示器は、図１に示すように、パチンコ遊技機Ｐが複数並設された島設備Ｓの前方に複数設置された椅子２の背もたれの背面に取り付けられたものである。本実施形態にて適用される椅子２は、遊技者が着座して遊技可能とすべく、パチンコ遊技機Ｐと対向した位置に設置されたもので、脚部３と、着座シート４と、背もたれ５とから主に構成されている。
【００２４】
脚部３は、その下端部が各パチンコ遊技機Ｐの前面側近傍位置における遊技場の床面に固定されるとともに、上端部に着座シート４が形成されている。着座シート４は、遊技者が着座し得る座面から成るとともに、脚部３に対して回転可能に取り付けられている。この着座シート４には、その座面の背面側（後方）から上方に向かって背もたれ５が延設されている。
【００２５】
背もたれ５は、着座シート４に着座した遊技者の背中に対応した位置にて延設されているとともに、本実施形態においては、図３に示すように、カバーｃが取り付けられて覆われるようになっている。かかるカバーｃは、例えば軟質樹脂材等を成形した成形品から成り、椅子２の背もたれ５に対して脱着可能とされるとともに、同図に示すように、その背面側の所定位置には、例えば面ファスナ（hook-and-loop fastener）等の取付手段６が貼着されている。
【００２６】
本実施形態に係る表示器１は、カバーｃを介して椅子２の背もたれ５の背面に取付可能とされたもので、図１、２に示すように、椅子２の背面から当該椅子２の後方（椅子２に対してパチンコ遊技機Ｐと反対側の通路側）に向かって突出しつつ延設された表示面（Ａａ〜Ｇａ）を有するとともに、当該表示面（Ａａ〜Ｇａ）にパチンコ遊技機Ｐの遊技状態を示す表示が可能とされたものである。なお、本実施形態においては、カバーｃを介して椅子２の背もたれ５の背面に取り付けられているが、椅子の背もたれ５の背面に直接取り付けられるよう構成してもよい。
【００２７】
より具体的には、表示器１は、図３、４に示すように、ベース部ｂと、複数の頁部材（Ａ〜Ｇ）とから主に構成されている（但し、本実施形態においては、頁部材Ｂ〜Ｆに限り、めくることが可能なシート状（頁状）の部材とされている）。ベース部ｂは、例えば軟質樹脂や発泡樹脂等の可撓性部材を中空状に成形して成るもので、その取付面ｂａには、椅子２のカバーｃに形成された取付手段６と対応する位置に面ファスナー（hook-and-loop fastener）等の取付手段６が貼着されている。本実施形態に係るベース部ｂは、可撓性部材から成り、さらに、中空状の形状とされることにより、表示器１を取付手段６にてカバーｃに取り付けた状態において、椅子２の前方側に向かって撓み得るようになっている。
【００２８】
また、本実施形態に係るベース部ｂは、表示器１を取付手段６にてカバーｃに取り付けた状態において、取付面ｂａの左右の端縁からそれぞれ中央部ｂｂに向かって傾斜しつつ延設された面を有しており、当該傾斜した左右の面に、本実施形態の表示面（Ａａ〜Ｇａ）が形成されるようになっている。しかして、表示面（Ａａ〜Ｇａ）は、椅子２の左右それぞれの方向に臨ませて成るので、それぞれの方向から表示面（Ａａ〜Ｇａ）を視認可能とされている。
【００２９】
また、本実施形態に係る表示面（Ａａ〜Ｇａ）は、複数の頁部材（Ａ〜Ｇ）の面から成り、遊技状態に応じて当該頁部材（Ｂ〜Ｆ）をめくることにより当該遊技状態に応じた異なる表示を行わせ得るよう構成されている。すなわち、表示器１が取り付けられた椅子２に対応するパチンコ遊技機Ｐの遊技状態に応じ、ホール係等の作業者が頁部材（Ｂ〜Ｆ）を順次めくり得るようになっており、めくられた頁部材（Ｂ〜Ｆ）及び頁部材Ａ、Ｇの表面や裏面の表示を視認させ得るとともに、当該めくられた頁部材（Ｂ〜Ｆ）は、図４に示すように、磁石ｍによって固定され、その状態が維持されるようになっている。
【００３０】
ここで、本実施形態に係る表示器１は、その表示面（本実施形態においては表示面Ｂｂ、Ｃａ、Ｃｂ、Ｄａ、Ｄｂ、Ｅａ、Ｅｂ、Ｆａ、Ｆｂ）において、パチンコ遊技機Ｐの遊技により獲得した遊技価値に関する情報が表示されるよう構成されており、図６〜９に示すように、少なくとも収容箱（本実施形態においては、「ドル箱」と称される賞球としての遊技球を収容し得る箱）を模した絵柄が記載されるとともに、獲得した遊技価値に応じた収容箱の数を把握可能な表示（本実施形態においては単数又は複数の収容箱の絵柄）がなされるようになっている。
【００３１】
しかるに、本発明における「遊技価値」とは、賞球としての遊技球、或いはそれと等しい価値自体を指し、遊技機（パチンコ遊技機Ｐ等）による遊技の結果としての当落若しくは勝ち負けによって獲得した価値をいうものである。すなわち、パチンコ遊技機Ｐは、賞球としての遊技球を遊技者側に保持させるものの他、遊技球を遊技者側に保持させることなく、単に賞球の数を計数して表示するもの（所謂、「封入式」又は「循環式」と称されるパチンコ遊技機等）であってもよく、この場合、表示された賞球の数が本発明の「遊技価値」に相当する。
【００３２】
次に、本実施形態に係る表示器１における作用について、図５〜１０に基づいて説明する。なお、同図においては何れも椅子２の背もたれ５に表示器１が取り付けられた状態を想定している。
先ず、遊技者が遊技していない状態或いは遊技者が遊技していても遊技価値を獲得していない状態のとき、図５に示すように、例えばパチンコ遊技機Ｐを宣伝するための公告や遊技場の案内等が表示された表示面Ａａ、Ｂａとされている。なお、表示面Ａａは、頁部材Ａの表面から成るもので、頁部材Ｂをめくることにより隠れて視認されないようになっている。
【００３３】
表示面Ｂａは、頁部材Ｂの表面から成り、当該頁部材Ｂをめくると、図６に示すように、左側に臨ませた面が頁部材Ｂの裏面から成る表示面Ｂｂとされるとともに、右側に臨ませた面が頁部材Ｆの表面から成る表示面Ｆａのうち最下段の表示部位Ｆａａを外部に臨ませている。この状態において、左右の表示面の最下段に収容箱（ドル箱）をそれぞれ表示させるようになっている。
【００３４】
なお、右側に臨ませた面（表示部位Ｆａａの上部）には、上部に向かって頁部材Ｃ、Ｄ、Ｅがそれぞれ形成されており、これら頁部材Ｃ、Ｄ、Ｅの表面から成る表示面Ｃａ、Ｄａ、Ｅａ、及び頁部材Ｂの裏面から成る表示面Ｂｂにおける最下段以外の部位は、例えば黒色で塗りつぶされて、如何なる情報も表示されない状態とされている。この状態において、一つの収容箱（ドル箱）が床面に置かれた如き表示がなされることとなる。
【００３５】
そして、パチンコ遊技機Ｐの遊技状態に応じて、頁部材Ｃ、Ｄ、Ｅを順次めくるようにすれば、当該頁部材Ｃの裏面から成る表示面Ｃｂ及び頁部材Ｆの表面のうち表示部位Ｆａａ、Ｆａｂ（図７参照）、頁部材Ｄの裏面から成る表示面Ｄｂ及び頁部材Ｆの表面のうち表示部位Ｆａａ〜Ｆａｃ（図８参照）、頁部材Ｅの裏面から成る表示面Ｅｂ及び頁部材Ｆの表面のうち表示部位Ｆａａ〜Ｆａｄ（図９参照）がそれぞれ外部に臨むこととなり、下から順に複数の収容箱（ドル箱）が積まれる如き表示がなされることとなる。
【００３６】
すなわち、例えばパチンコ遊技機Ｐにて大当たりが発生し、多くの遊技価値を獲得する過程において、当該遊技価値の獲得量に応じて頁部材Ｂ、Ｃ、Ｄ、Ｅを順次めくることにより、その遊技価値に応じた表示を行わせることができ、周囲の遊技者等に遊技価値の獲得量を目視にて把握させることができるのである。また、本実施形態においては、頁部材Ｅをめくった後、更に多くの遊技価値を獲得した場合、頁部材Ｆをめくり、図１０で示すように、頁部材Ｆの裏面Ｆｂにて「爆裂台」なる文字、及び頁部材Ｇの表面Ｇａにて「大開放」なる文字を表示させ、極めて多数の遊技価値を獲得している状態である旨を表示可能とされている。
【００３７】
上記実施形態によれば、遊技価値を獲得する過程において、所謂ドル箱と称される遊技球を収容するための収容箱を模した絵柄を下から順に増加させて表示させているので、当該ドル箱を下から順に積んでいく如き表示を行わせることができ、実際に遊技球を獲得してドル箱を順次積むものに似た視認効果を得ることができる。特に、遊技者の通常の概念として、ドル箱の如き収容箱の１つが遊技価値（例えば賞球としての遊技球）の所定個数分（例えば１５００個分）に相当するものであると把握し得るので、当該ドル箱を模したものを複数表示させることにより、どの程度の遊技価値を獲得したのかが感覚的に把握されることとなる。
【００３８】
次に、本発明に係る他の実施形態について説明する。
本実施形態に係る表示器は、先の実施形態と同様、パチンコ遊技機Ｐが複数並設された島設備Ｓの前方に複数設置された椅子２の背もたれの背面に取り付けられたものである。なお、先の実施形態と同様の構成要素については、同一の符号を付し、それらの詳細な説明を省略することとする。
【００３９】
本実施形態に係る表示器７は、先の実施形態と同様、カバーｃを介して椅子２の背もたれ５の背面に取付可能とされたもので、椅子２の背面から当該椅子２の後方（椅子２に対してパチンコ遊技機Ｐと反対側の通路側）に向かって突出しつつ延設された表示面（Ｈａ〜Ｎａ）を有するとともに、当該表示面（Ｈａ〜Ｎａ）にパチンコ遊技機Ｐの遊技状態を示す表示が可能とされたものである。なお、本実施形態においては、先の実施形態と同様、カバーｃを介して椅子２の背もたれ５の背面に取り付けられているが、椅子の背もたれ５の背面に直接取り付けられるよう構成してもよい。
【００４０】
より具体的には、表示器７は、図１２〜１８に示すように、ベース部ｂと、複数の頁部材（Ｈ〜Ｎ）とから主に構成されている（但し、本実施形態においては、頁部材Ｉ〜Ｍに限り、めくることが可能なシート状（頁状）の部材とされている）。ベース部ｂは、例えば軟質樹脂や発泡樹脂等の可撓性部材を中空状に成形して成るもので、その取付面ｂａには、椅子２のカバーｃに形成された取付手段６と対応する位置に面ファスナー（hook-and-loop fastener）等の取付手段６（図３参照）が貼着されている。本実施形態に係るベース部ｂは、先の実施形態と同様、可撓性部材から成り、さらに、中空状の形状とされることにより、表示器１を取付手段６にてカバーｃに取り付けた状態において、椅子２の前方側に向かって撓み得るようになっている。
【００４１】
また、本実施形態に係る表示面（Ｈａ〜Ｎａ）は、複数の頁部材（Ｈ〜Ｎ）の面から成り、遊技状態に応じて当該頁部材（Ｈ〜Ｎ）をめくることにより当該遊技状態に応じた異なる表示を行わせ得るよう構成されている。すなわち、表示器７が取り付けられた椅子２に対応するパチンコ遊技機Ｐの遊技状態に応じ、ホール係等の作業者が頁部材（Ｉ〜Ｍ）を順次めくり得るようになっており、めくられた頁部材（Ｉ〜Ｍ）及び頁部材Ｈ、Ｎの表面や裏面の表示を視認させ得るとともに、当該めくられた頁部材（Ｉ〜Ｍ）は、図１２に示すように、磁石ｍによって固定され、その状態が維持されるようになっている。
【００４２】
ここで、本実施形態に係る表示器７は、その表示面（本実施形態においては表示面Ｉｂ、Ｊａ、Ｊｂ、Ｋａ、Ｋｂ、Ｌａ、Ｌｂ、Ｍａ）において、パチンコ遊技機Ｐの遊技により獲得した遊技価値に関する情報が表示されるよう構成されており、図１３〜１８に示すように、少なくとも収容箱（本実施形態においては、「ドル箱」と称される賞球としての遊技球を収容し得る箱）を模した絵柄が記載されるとともに、獲得した遊技価値に応じた収容箱の数を把握可能な表示（本実施形態においては数字の表示）がなされるようになっている。
【００４３】
次に、本実施形態に係る表示器７における作用について、図１３〜１８に基づいて説明する。なお、同図においては何れも椅子２の背もたれ５に表示器７が取り付けられた状態を想定している。
先ず、遊技者が遊技していない状態或いは遊技者が遊技していても遊技価値を獲得していない状態のとき、図１３に示すように、例えばパチンコ遊技機Ｐを宣伝するための公告や遊技場の案内等が表示された表示面Ｈａ、Ｉａとされている。なお、表示面Ｈａは、頁部材Ｈの表面から成るもので、頁部材Ｉをめくることにより隠れて視認されないようになっている。
【００４４】
表示面Ｉａは、頁部材Ｉの表面から成り、当該頁部材Ｉをめくると、図１４に示すように、左側に臨ませた面が頁部材Ｉの裏面から成る表示面Ｉｂとされるとともに、右側に臨ませた面の上半分が頁部材Ｊの表面から成る表示面Ｊａとされる。この状態において、左右の表示面の下段に収容箱（ドル箱）をそれぞれ表示させるとともに、上段に収容箱（ドル箱）の数を表す数字が表示されるようになっている。
【００４５】
なお、右側に臨ませた面は、その下部が頁部材Ｍの表面Ｍａにおける表示部位Ｍａａとされるとともに、上部が頁部材Ｊの表面から成る表示面Ｊａとされている。この頁部材Ｊの裏面側には、頁部材Ｋ、Ｌが重ねて形成されている。そして、パチンコ遊技機Ｐの遊技状態に応じて、頁部材Ｊ、Ｋ、Ｌを順次めくるようにすれば、当該頁部材Ｊの裏面から成る表示面Ｊｂ、頁Ｋの表面から成る表示面Ｋａ及び頁部材Ｍの表面のうち表示部位Ｍａａ（図１５参照）、頁部材Ｋの裏面から成る表示面Ｋｂ、頁部材Ｌの表面から成る表示面Ｌａ及び頁部材Ｍの表面のうち表示部位Ｍａａ（図１６参照）、頁部材Ｌの裏面から成る表示面Ｌｂ、頁部材Ｍの表面のうち表示部位Ｍａａ、Ｍａｂ（図１７参照）がそれぞれ外部に臨むこととなり、獲得した遊技価値を収容するのに相当する収容箱（ドル箱）の数が表示がなされることとなる。
【００４６】
すなわち、例えばパチンコ遊技機Ｐにて大当たりが発生し、多くの遊技価値を獲得する過程において、当該遊技価値の獲得量に応じて頁部材Ｉ、Ｊ、Ｋ、Ｌを順次めくることにより、その遊技価値に応じた表示を行わせることができ、周囲の遊技者等に遊技価値の獲得量を目視にて把握させることができるのである。また、本実施形態においては、頁部材Ｍをめくった後、更に多くの遊技価値を獲得した場合、頁部材Ｍをめくり、図１８で示すように、頁部材Ｍの裏面Ｍｂにて「爆裂台」なる文字、及び頁部材Ｎの表面Ｎａにて「大開放」なる文字を表示させ、極めて多数の遊技価値を獲得している状態である旨を表示可能とされている。
【００４７】
上記実施形態によれば、遊技価値を獲得する過程において、所謂ドル箱と称される遊技球を収容するための収容箱を模した絵柄と、その獲得数を表す数字を順に増加させて表示させているので、獲得した遊技価値をより客観的かつ正確に把握させることができる。特に、遊技者の通常の概念として、ドル箱の如き収容箱の１つが遊技価値（例えば賞球としての遊技球）の所定個数分（例えば１５００個分）に相当するものであると把握し得るので、当該ドル箱を模したものを複数表示させることにより、どの程度の遊技価値を獲得したのかが感覚的に把握されることとなる。
【００４８】
上記実施形態に係る表示器１、７によれば、椅子２の背面から当該椅子２の後方に向かって突出しつつ延設された表示面を有するとともに、当該表示面にパチンコ遊技機Ｐの遊技状態を示す表示が可能とされたので、遊技者が着座する椅子２にパチンコ遊技機Ｐの遊技状態を表示する機能を持たせることができるとともに、当該パチンコ遊技機Ｐの遊技状態をより簡易に且つ視認性を高めつつ表示させることができる。
【００４９】
また、本実施形態に係る表示器１、７の表示面は、椅子２の背もたれ５の背面に取付可能とされたので、当該背もたれの大きさに応じた表示面を設定することができ、より視認性を高めることができる。さらに、本実施形態に係る表示器１、７の表示面は、パチンコ遊技機Ｐの遊技により獲得した遊技価値に関する情報が表示されるので、例えば遊技により獲得した遊技媒体が排出されない遊技機（遊技媒体を遊技者に保持させないパチンコ遊技機）に対向した椅子に適用すれば、獲得した遊技媒体を収容する収容箱を床面に載置してアピール度を得るものと同等のアピール度を得ることができる。
【００５０】
またさらに、本実施形態に係る表示器１、７の表示面は、少なくとも収容箱を模した絵柄が記載されるとともに、獲得した遊技価値に応じた収容箱の数を把握可能な表示がなされるので、周囲の遊技者が当該表示を視認することで、遊技状態を感覚的に把握することができる。また、本実施形態に係る表示器１、７の表示面は、複数の頁部材の面から成り、遊技状態に応じて当該頁部材をめくることにより当該遊技状態に応じた異なる表示を行わせ得るので、より簡易かつリアルタイムに遊技状態の表示を行わせることができる。
【００５１】
さらに、本実施形態に係る表示器１、７の表示面は、椅子２の左右それぞれの方向に臨んだ表示面を有し、それぞれの表示面にて表示を行わせるので、遊技しているパチンコ遊技機Ｐの左右両方向から表示の視認を行わせることができ、視認性をより一層向上させることができる。また、本実施形態に係る表示器１、７の表示面は、椅子２の前方側に向かって撓み得るベース部ｂに形成されたので、椅子２の後方を通過するホール係や他の遊技者が表示面に干渉しても、ベース部ｂが撓むことで表示面が破損してしまうのを防止することができる。
【００５２】
以上、本実施形態について説明したが、本発明はこれらに限定されるものではなく、例えばスロットマシン等、他の遊技機に対向した椅子に取付可能なものであってもよく、設置されるべき遊技場は、パチンコホールに限らずゲームセンター等であってもよい。また、本実施形態においては、椅子の背もたれに表示器を設置しているが、椅子の背面に取付可能なものであれば、椅子の脚部３や着座シート４の背面に取付可能なものとしてもよい。
【００５３】
さらに、本実施形態においては、パチンコ遊技機Ｐの遊技により獲得した遊技価値に関する情報が表示面に表示されるものとされているが、当該パチンコ遊技機Ｐの遊技状態を示す表示であれば、他の情報（例えば、大当たりが発生した旨の情報等）を表示面に表示させるものとしてもよい。なお、表示面の表示は、所謂ドル箱を模した絵柄の他、宝石箱や宝箱等を模した絵柄であってもよい。
【産業上の利用可能性】
【００５４】
遊技機と対向した位置に設置されて遊技者が着座可能な椅子の背面に取付可能な表示器であって、椅子の背面から当該椅子の後方に向かって突出しつつ延設された表示面を有するとともに、当該表示面に遊技機の遊技状態を示す表示が可能とされた表示器であれば、外観形状が異なるもの或いは他の機能が付加されたもの等にも適用することができる。
【符号の説明】
【００５５】
１  表示器
２  椅子
３  脚部
４  着座シート
５  背もたれ
６  取付手段
７  表示器
Ｐ  パチンコ遊技機
【図１】
2013248242.tif 000003
【図２】
2013248242.tif 000004
【図３】
2013248242.tif 000005
【図４】
2013248242.tif 000006
【図５】
2013248242.tif 000007
【図６】
2013248242.tif 000008
【図７】
2013248242.tif 000009
【図８】
2013248242.tif 000010
【図９】
2013248242.tif 000011
【図１０】
2013248242.tif 000012
【図１１】
2013248242.tif 000013
【図１２】
2013248242.tif 000014
【図１３】
2013248242.tif 000015
【図１４】
2013248242.tif 000016
【図１５】
2013248242.tif 000017
【図１６】
2013248242.tif 000018
【図１７】
2013248242.tif 000019
【図１８】
2013248242.tif 000020